(57)【特許請求の範囲】
【請求項１】
新聞広告丁合装置に用いられる給紙装置に、給紙装置の重送防止に用いられる重送防止用部材を脱着自在に装着するための機構であって、
前記重送防止用部材は、
給紙される紙葉類と面接触する重送防止用シートと、シート保持具と、固定手段とからなり、
該重送防止用シートと該固定手段とは互いに相対移動不能に固定可能とされ、
該シート保持具には長孔が形成され、
該固定手段に形成された挿通部が該シート保持具の長孔内に挿通された状態で、該固定手段により該重送防止用シートが該シート保持具に脱着自在に固定されており、
該固定手段の挿通部が該シート保持具の長孔内の所望の位置で固定されることによって、該シート保持具と該重送防止用シートとの相対位置が該シート保持具の長孔の長軸方向に沿って変更可能とされ、
また、前記給紙装置における給紙ローラの近傍部位に、装着孔が設けられ、
更に該装着孔を介して重送防止用部材固定板が該給紙ローラから遠ざかる方向に差し出され、
更に該重送防止用部材固定板が上方に付勢されて、該重送防止用部材固定板が、該装着孔の上側の孔縁に向けて押し付けられており、
前記重送防止用部材は、該装着孔内における前記重送防止用部材固定板と前記孔縁との間に差し込まれ、又は抜き出されることによって前記給紙装置に対して脱着自在とされ、
該重送防止用部材が該装着孔内に差し込まれた状態では、該重送防止用部材が該重送防止用部材固定板と該孔縁との間に挟持され、かつ、該重送防止用部材の該重送防止用シートは紙葉類の進行経路上に配置されて該給紙ローラに圧接していることを特徴とする重送防止用部材脱着機構。
【請求項２】
前記重送防止用部材の前記シート保持具には規制片が設けられており、
該重送防止用部材が前記給紙装置における装着孔内に差し込まれた状態で、該規制片が該装着孔の辺縁部に紙葉類の供給側から当接する請求項１に記載の重送防止用部材脱着機構。
【請求項３】
請求項１又は請求項２に記載の重送防止用部材脱着機構における重送防止用部材の脱着方法であって、
前記重送防止用部材固定板における付勢力に抗して該重送防止用部材固定板と前記孔縁との間に間隙を形成し、前記重送防止用部材を前記装着孔における該重送防止用部材固定板と該孔縁との該間隙に差し込み、その後、該重送防止用部材固定板の付勢力に従って該重送防止用部材を該重送防止用部材固定板と該孔縁との間に挟持することにより、前記重送防止用シートを給紙装置に配置し、一方、該重送防止用部材を該装着孔から抜き出すことにより、前記重送防止用シートを給紙装置から取り出すことを特徴とする重送防止用部材の脱着方法。
【発明の詳細な説明】
【技術分野】
【０００１】
本発明は、紙葉類を給紙する装置、特に新聞広告丁合装置に用いられる給紙装置に使用される重送防止用部材、これの脱着機構、及びこれの脱着方法に関する。
【背景技術】
【０００２】
紙葉類を給紙する給紙装置において、該紙葉類を給紙ローラとゴム部材（重送防止用部材）との間を通過させることで重送を防止することは、既に広く行なわれている。該給紙装置では基本的に、通過する紙と給紙ローラ及びゴム部材との摩擦抵抗（摩擦係数）を所定の範囲内に規制することで重送を防止している（例えば、特許文献１〜５参照。）。
【先行技術文献】
【特許文献】
【０００３】
【特許文献１】特開平５−１７０３４８号公報
【特許文献２】特開平７−５３０７７号公報
【特許文献３】特開平７−９７０８３号公報
【特許文献４】特開２００８−１３２９５号公報
【特許文献５】特開２００８−２３０７２９号公報
【発明の概要】
【発明が解決しようとする課題】
【０００４】
しかしながら、上記従来の給紙装置においては、上記ゴム部材において、給紙ローラや紙葉類が接触、通過する箇所が限定され、その箇所のみが摩耗したり、インク等によって汚れたりして摩擦抵抗が変化してしまうといった不具合があった。また、数種類のちらしを一枚ずつ寄せ集めて１セットにして新聞に差し込むための新聞広告丁合装置においては、異なる種類の紙を使用するため、摩擦抵抗がそれぞれ異なり、それに合わせてゴム部材を取り替えねばならず、その取り替え作業は非常に手間のかかるものであった。更に、重送し易いちらしを給紙する場合、針を広告に刺して重送を防止することが考えられるが、ちらしに針穴があいてしまうし、針によって作業者が怪我をする危険もある。
【０００５】
そこで、本発明は、作業者にとって安全で、給紙装置で異種の紙を用いるにあたって、ただ重送を防止するのみならず、長期に渡って安定した重送防止性能が得られ、更に異種の（摩擦抵抗の異なる）紙葉類を使用する際にも短時間で簡便に適切な重送防止性能が得られる重送防止用部材、重送防止用部材脱着機構、及び重送防止用部材の脱着方法を提供することを目的とする。
【課題を解決するための手段】
【０００６】
本発明は、新聞広告丁合装置に用いられる給紙装置に、給紙装置の重送防止に用いられる重送防止用部材を脱着自在に装着するための機構であって、前記重送防止用部材は、給紙される紙葉類と面接触する重送防止用シートと、シート保持具と、固定手段とからなり、該重送防止用シートと該固定手段とは互いに相対移動不能に固定可能とされ、該シート保持具には長孔が形成され、該固定手段に形成された挿通部が該シート保持具の長孔内に挿通された状態で、該固定手段により該重送防止用シートが該シート保持具に脱着自在に固定されており、該固定手段の挿通部が該シート保持具の長孔内の所望の位置で固定されることによって、該シート保持具と該重送防止用シートとの相対位置が該シート保持具の長孔の長軸方向に沿って変更可能とされ、また、前記給紙装置における給紙ローラの近傍部位に、装着孔が設けられ、更に該装着孔を介して重送防止用部材固定板が該給紙ローラから遠ざかる方向に差し出され、更に該重送防止用部材固定板が上方に付勢されて、該重送防止用部材固定板が、該装着孔の上側の孔縁に向けて押し付けられており、前記重送防止用部材は、該装着孔内における前記重送防止用部材固定板と前記孔縁との間に差し込まれ、又は抜き出されることによって前記給紙装置に対して脱着自在とされ、該重送防止用部材が該装着孔内に差し込まれた状態では、該重送防止用部材が該重送防止用部材固定板と該孔縁との間に挟持され、かつ、該重送防止用部材の該重送防止用シートは紙葉類の進行経路上に配置されて該給紙ローラに圧接していることを特徴とする重送防止用部材脱着機構である。
【０００７】
このように本発明は、重送防止用シートとシート保持具との相対位置を変更可能とすることで、該重送防止用シートの給紙ローラや紙葉類と接触している面を任意に移動させることができるようにしたものである。これによって、重送防止用シートのすり減ったり汚れたりした箇所をずらし、別の真新しい箇所を給紙ローラや紙葉類と接触させるようにすることができ、長期に渡って安定した重送防止性能が得られることとなる。また、このような変更作業は、該重送防止用部材の固定手段を設定し直すだけで行なえるため、従来のようなゴム部材の一定箇所のみがすり減ったり汚れたりしただけでシート全体を取り替えなければならないような手間もかからない。さらに、該重送防止用シートの使用可能な箇所全面を無駄なく使い切ることできるため結果的にコスト削減にもつながる。また、このように本発明は、前記重送防止用部材を前記給紙装置に単に脱着可能とするだけでなく、装着孔に対して抜き差しすることによって脱着可能とすることで前記重送防止用部材の入れ替え（差し替え）を容易としている。しかも、該重送防止用部材が、前記重送防止用部材固定板と該孔縁との間に挟持されることにより、簡便な構成で該重送防止用部材を確実に固定することができる。
【０００８】
更にシート支持具を備え、前記重送防止用シートが、前記シート保持具と該シート支持具とによって挟持され、かつ、該重送防止用シートと該シート支持具とが相対移動不能に固定されていることが望ましい。
【０００９】
このように、該重送防止用シートを、該シート保持具と該シート支持具とによって挟持することにより、基本的にゴム状である重送防止用シートの余計な伸びやたるみが防止される。
【００１０】
また、前記シート保持具の長孔の長軸方向が、前記給紙装置の給紙方向と一致していることが望ましい。
【００１１】
上記重送防止用シートと、給紙ローラ及び紙葉類との接触は給紙方向に垂直な線接触であり、該重送防止用シートの摩耗や汚れもその線上に現れる。従って、該重送防止用シートを給紙方向に沿ってのみ移動可能とすることで、位置を変更したにもかかわらず、摩耗したり汚れたりした箇所が再度給紙ローラや紙葉類と接触してしまう、といった不具合が防止できる。更には該重送防止用シートが斜めになったりして給紙ローラの外周面からずれてしまう不具合も防止できる。
【００１２】
また、前記重送防止用シートには孔が形成され、該孔内に前記固定手段の挿通部が挿入され、前記シート保持具の長孔内に該挿通部が挿通され、前記シート支持具には孔が形成され、かつ該孔の周囲に結合部が設けられており、該孔内に該固定手段の挿通部が挿入され、該挿通部が該結合部に結合することにより、該重送防止用シート、該シート支持具、及び該固定手段が互いに相対移動不能とされている構成としてもよい。
【００１３】
かかる構成とすると、簡易な構造で、該重送防止用シート、該シート支持具、及び該固定手段を互いに相対移動不能とすることができる。
【００１６】
また前記重送防止用部材の前記シート保持具には規制片が設けられており、該重送防止用部材が前記給紙装置における装着孔内に差し込まれた状態で、該規制片が該装着孔の辺縁部に紙葉類の供給側から当接することが望ましい。
【００１７】
これによって上記重送防止用部材の適切な設置位置（上記装着孔への適切な差し込み量）が、他の方法によらず単に上記シート保持具の規制片が上記装着孔の辺縁部に当接する位置に基づき定められる。したがって、装置全体が巨大化したり逆に小型化したりすることで例えば上記重送防止用部材を該装着孔へ手探りによって差し込まねばならない場合でも、該重送防止用部材を上記給紙装置の適正位置に熟練を要すること無く容易に設置することが可能となる。また、該重送防止用部材が該給紙装置において紙葉類の供給側から差し込まれることで、上記給紙ローラの回転によって該重送防止用部材が引き込まれて、簡単に外れたり抜けたりすることが防止される。
【００１８】
また、本発明は、上記の重送防止用部材脱着機構における重送防止用部材の脱着方法であって、前記重送防止用部材固定板における付勢力に抗して該重送防止用部材固定板と前記孔縁との間に間隙を形成し、前記重送防止用部材を前記装着孔における該重送防止用部材固定板と該孔縁との該間隙に差し込み、その後、該重送防止用部材固定板の付勢力に従って該重送防止用部材を該重送防止用部材固定板と該孔縁との間に挟持することにより、前記重送防止用シートを給紙装置に配置し、一方、該重送防止用部材を該装着孔から抜き出すことにより、前記重送防止用シートを給紙装置から取り出すことを特徴とする重送防止用部材の脱着方法である。
【００１９】
かかる構成とすることにより、該重送防止用部材を該給紙装置に対して容易かつ迅速に脱着することが可能となる。
【発明の効果】
【００２０】
本発明の重送防止用部材は、針等の危険な部材を必要としないため安全であり、かつ、上記重送防止用シートの摩耗、汚れ箇所を適宜移動させることで該重送防止用シートが本来有している重送防止性能を長期に亘って発揮させることができる。更に本発明の重送防止用部材脱着機構は、該重送防止用部材を脱着するにあたって装着孔に抜き差しするだけの構成となっており、ちらし等異種の（摩擦抵抗の異なる）紙葉類を使用する際にも短時間で簡便に適切な重送防止性能を発揮させることができる。更に、本発明の重送防止用部材脱着機構における重送防止用部材の脱着方法は、容易かつ迅速に重送防止用部材を給紙装置に対して脱着することが可能となる。
【図面の簡単な説明】
【００２１】
【図１】重送防止用部材の分解説明図である。
【図２】重送防止用部材脱着機構を説明する斜視図である。
【図３】重送防止用部材を用いた給紙装置の使用状態を示す説明図である。
【図４】重送防止用シートを位置変更した使用状態を示す説明図である。
【発明を実施するための形態】
【００２２】
以下、本発明の重送防止用部材を具体化した実施例を詳細に説明する。なお、本発明は、下記に示す実施例に限定されることはなく、適宜設計変更が可能である。
【００２３】
図１には、重送防止用部材１を分解した図が示される。該重送防止用部材１は、重送防止用シート２と、シート保持具３と、シート支持具４と、固定手段としてのネジ５と、からなる。
【００２４】
重送防止用シート２は長方形状であり、ネジ５を通すための孔２ａと、該重送防止用シート２と該シート支持具４との相対位置を固定するための係止孔２ｂが設けられている。なお、該重送防止用シート２の材料は重送を防止できるものであればどのようなものでも構わないが一般的にはゴム状のものが採用される。
【００２５】
シート保持具３は長方形状の板部材で構成されており、該シート保持具３の中央には、ネジ５を通すための長孔３ａが設けられている。該長孔３ａの長軸方向は、該シート保持具３の長手方向に一致している。また、該シート保持具３の左右の側縁には、外方向へと伸びる規制片３ｂがそれぞれ設けられている。
【００２６】
シート支持具４は板部材の所定部位を折り曲げ加工した側面視略くの字状をなし、ネジ５を通すための孔４ａと、該重送防止用シート２と該シート支持具４との相対位置を固定するための突起４ｂが設けられている。また、孔４ａの周囲には結合部としてのナット部４ｃ（図３，図４参照）があらかじめ形成されている。該ナット部４ｃには、前記ネジ５が結合される。なお、該シート保持具３及び該シート支持具４の材料は特に限定されないが、規制片３ｂを設けたり突起４ｂを設けたり孔３ａ，４ａを開けたりする必要があることから金属が望ましく、コストと用途を考慮すれば錆びないステンレススチールを用いることが望ましい。
【００２７】
そして、重送防止用部材１は、次のような手順で組み立てられる。すなわち、まず重送防止用シート２をシート保持具３の板面に重ね、更にシート支持具４の突起４ｂを重送防止用シート２の係止孔２ｂにはめ込むようにシート支持具４を重送防止用シート２の上に重ねる。更にシート保持具３の長孔３ａにネジ５の雄ねじ部（挿通部）５ａを挿通し、重送防止用シート２の孔２ａを通してシート支持具４の孔４ａに設けられたナット部４ｃにねじ込んで該重送防止用シート２、該シート保持具３、該シート支持具４同士を固定する。
【００２８】
上記構成において、重送防止用シート２とシート保持具４とは係止孔２ｂと突起４ｂとの係合によって相対移動不能に固定されている。また、ネジ５を緩めてシート保持具３の長孔３ａの所望の位置まで該長孔３ａの長軸方向に沿って移動させて再度ネジ５を締めることにより、シート保持具３と、重送防止用シート２との相対位置を変更することができる。具体的には、前記シート保持具３の長孔３ａは、平面視コ字状に形成されており、両端部には、屈曲形成されてなる第一固定位置αと第二固定位置βとが設けられている。例えば、図２に示す重送防止用部材１は、ネジ５が長孔３ａの第一固定位置αに配置されている。
【００２９】
次に、図２〜図４に従って、重送防止用部材脱着機構Ａを説明する。
図２等に示すように、給紙装置１０には、重送防止機能を有する標準パッド１１が配設されており、さらに該標準パッド１１の直上には、給紙ローラ２０が配設されている。更に、該給紙ローラ２０の近傍の枠体２１に、横長矩形の装着孔１２が設けられている。さらに、該枠体２１内において、重送防止用部材固定板１３の一端部が該枠体２１内に設けられた回動部１３Ａで軸支され、更に該装着孔１２を介して、該重送防止用部材固定板１３の他端部が給紙ローラ２０から遠ざかる方向（外向き）へ差し出されている。
【００３０】
更に該重送防止用部材固定板１３は、枠体２１内に配置されたねじりコイルバネ１４によって上方に付勢されており、これにより前記装着孔１２の上側の孔縁に向けて押し付けられている。
【００３１】
これまでに述べたように該重送防止用部材脱着機構Ａは、該重送防止用部材１が上記給紙装置１０において紙葉類の供給側から給紙ローラ２０に向かって差し込まれるような構成となっている。
【００３２】
そして、上記給紙装置１０に上記重送防止用部材１を装着するには、図２ａに示すように、まず上記ねじりコイルバネ１４の付勢力に抗して上記重送防止用部材固定板１３を押し下げる。この際、該重送防止用部材固定板１３は上記装着孔１２から外向きに差し出されているために、該装着孔１２から差し出された部分を指等で押し下げればよい。
【００３３】
そして、上記装着孔１２内であって、該重送防止用部材固定板１３と装着孔１２の上側の孔縁との間にできた空隙に、該重送防止用部材１を差し込む。すると図２ｂに示すように上記シート保持具３の規制片３ｂが、該給紙装置１０の装着孔１２の辺縁部１２ａに当接してそれ以上の挿入が防止される。なお、該装着孔１２の縦長（図２，３において縦方向の長さ）は、該重送防止用部材固定板１３の厚さを差し引いても、該重送防止用部材１が十分余裕を持って挿入できるだけの寸法にあらかじめ設定されている。
【００３４】
上記した重送防止用部材１の差し込み状態では、図２ｂ，図３等に示すように、ねじりコイルバネ１４によって重送防止用部材固定板１３が上方に付勢されているために、該重送防止用部材１は、該装着孔１２の孔縁と該重送防止用部材固定板１３とによって挟持される。また、かかる状態においては、図３に示すように、紙葉類の進行経路Ｒにおいて重送防止用シート２が標準パッド１１上に配置され、かつ該重送防止用シート２が上記給紙ローラ２０に圧接する。これにより、紙葉類は該給紙ローラ２０によって一枚ずつ送り出され、複数枚の送り出しは該重送防止用シート２によって防止される。
【００３５】
上記構成においては、単に上記重送防止用部材固定板１３を押し下げて上記重送防止用部材１を差し込むだけで所望の摩擦抵抗を有する上記重送防止用シート２を上記給紙ローラ２０に圧接することができ、該重送防止用部材１を抜き出すだけで該重送防止用シート２を上記給紙装置１０から取り出すことができる利点がある。
【００３６】
また、シート保持具３の第一固定位置α及び第二固定位置βは、給紙方向に対して垂直な方向に孔縁が屈曲形成されて構成されており、重送防止用部材１は、上記装着孔１２の孔縁と該重送防止用部材固定板１３とによって挟持され、更に規制片３ｂが装着孔１２の辺縁部１２ａに紙葉類の供給側から当接する。このため、給紙ローラ２０の回転によって該重送防止用シート２が引き込まれたり、該重送防止部材１が枠体２１から脱落したりしてしまうようなことがない。
【００３７】
ここに、例えば長期使用によって上記重送防止用シート２が摩耗したり、汚れが付着したりして重送防止性能が低下した場合は、一旦上記重送防止用部材１を上記給紙装置１０から抜き出し、上記シート保持具３と上記重送防止用シート２との相対位置を、長軸方向が紙葉類の給紙方向に一致した長孔３ａに沿って第一固定位置αから第二固定位置βに変更した後、再度上記重送防止用部材１を上記給紙装置１０に差し込めばよい。このとき、重送防止用シート２の摩耗して使用不能となった部位は、切断して廃棄することが望ましい。
【００３８】
そうすると、図４に示すように、該重送防止用シート２はさらに前方へ移動することにより該重送防止用シート２における上記給紙ローラ２０との圧接面が移動し、まだ摩耗したり汚れたりしていない面が上記給紙ローラ２０と圧接することとなり、従前の重送防止性能が再び得られる。
【００３９】
上記重送防止用シート２、シート保持具３、シート支持具４の形状、材質は特に限定されるものではなく、上記実施例以外のものでも構わない。
例えば上記重送防止用シート２において、単一材料によって形成されたものでもよいし、異種材料が複数並列されてなるものでも構わない。この場合、重送防止用シートの位置を変更するだけで異なる摩擦抵抗を得ることが可能となる。
また上記重送防止用シート２を給紙ローラ２０よりも幅広として、シート保持具３との相対位置変更を給紙方向と直交する方向に可能としても構わない。
更に上記重送防止用部材固定板１３を付勢する方法は、ねじりコイルバネ１４に限定されず、例えば他の構造の弾性体によって付勢される方法であっても構わない。
また、本発明の重送防止用部材は、シート支持具４を備えない構成であってもよい。すなわち、重送防止用シート２の厚みや材料等によっては該シート支持具４が不要である場合もあり、重送防止用シート２とシート保持具３とからなり、該重送防止用シート２をシート保持具３に所要の固定手段によって固定した構成も本発明に含まれるものとする。
【符号の説明】
【００４０】
１            重送防止用部材
２            重送防止用シート
３            シート保持具
３ａ          長孔
３ｂ          規制片
４            シート支持具
４ｃ          ナット部
５            ネジ（固定手段）
５ａ          雄ねじ部（挿通部）
１０          給紙装置
１２          装着孔
１２ａ        装着孔の辺縁部
１３          重送防止用部材固定板
２０          給紙ローラ
Ｒ            進行経路
【図１】
0005800627.tif 000002
【図２】
0005800627.tif 000003
【図３】
0005800627.tif 000004
【図４】
0005800627.tif 000005